(57)【特許請求の範囲】
【請求項１】
ａ．遠隔操作によりガス配管に取り付けられた遮断弁を遮断したときに前記遮断弁の外に露出させた復帰レバーが回転する構造を持ち、復帰レバーにより手動で閉まった弁を開状態に戻すことのできる防爆型遮断弁において、
ｂ．前記復帰レバーに反射板を取り付けたこと、
ｃ．前記遮断弁が遠隔操作により遮断したときの前記反射板の反射面に光ファイバーを経由して光を送出、前記反射面に向けて出光する出光端子を設けると共にこの出光端子から出光した光が前記反射面で反射したときの光を受光する受光端子を設け、この光ファイバーを経由して受光している受光信号が切れたときの信号を電気信号に変換、通信装置を介して前記コントロールセンターに出力する光センサーを設けたこと、
ｄ．を特徴とする防爆型遮断弁における遮断確認装置。
【請求項２】
前記反射板は、前記復帰レバーに対して着脱自在に取り付けられており、前記光センサは、前記反射板を外側から覆い、かつ遮断弁に対して着脱自在に構成されたカバー内に取り付けられていること、を特徴とする請求項１に記載の防爆型遮断弁における遮断確認装置。
【請求項３】
前記遮断弁は、都市ガスの供給配管網の要所に設置されているガバナー基地の整圧器の入側配管側に取り付けて用いられていること、を特徴とする請求項１又は２に記載の防爆型遮断弁における遮断確認装置。
【発明の詳細な説明】
【技術分野】
【０００１】
本発明は、都市ガスの供給配置網に設置されているガバナー基地の整圧室に取り付けられている所謂防爆型遮断弁（以下「遮断弁」という。）における遮断確認装置に関する。
【背景技術】
【０００２】
火気厳禁の設備において用いられている遮断弁であって、都市ガスの配管網に設置されているガバナー基地の整圧室内は、当然のこととして火気厳禁であるため、この整圧室内の遮断弁も防爆構造となっている。
この遮断弁は、緊急時にはコントロールセンターからの指示により遮断を行う必要があるため、整圧室の外までは電気回線を通じ、この整圧室内は防爆回線を通じて遠隔操作で遮断を行う構成となっている。
【０００３】
ところが、この遮断弁の操作は、前記のように遠隔操作で行うようになっているが、確実に遮断されたか否かを確認する方法はないことから、不安が残る。特に地震発生地の場合、センター側から遮断信号を送出しても、信号線が途中で切断されたりしていて、遮断弁まで閉信号が届かない場合が考えられる。
【発明の開示】
【発明が解決しようとする課題】
【０００４】
本発明は、このような心配を解消するために提案されるものであって、その目的は、遮断弁に対して遮断の信号を送出した際、確実に遮断弁が閉に作動していることをコントロールセンター側に知らせることができると共に、既設の設備に対しては低コストにより簡単に後付けして用いることができる防爆型遮断弁における遮断確認装置を提供することである。
【課題を解決するための手段】
【０００５】
上記目的を達成するため、請求項１に記載の発明においては、ａ．遠隔操作によりガス配管に取り付けられた遮断弁を遮断したときに前記遮断弁の外に露出させた復帰レバーが回転する構造を持ち、復帰レバーにより手動で閉まった弁を開状態に戻すことのできる防爆型遮断弁において、
ｂ．前記復帰レバーに反射板を取り付けたこと、
ｃ．前記遮断弁が遠隔操作により遮断したときの前記反射板の反射面に光ファイバーを経由して光を送出、前記反射面に向けて出光する出光端子を設けると共にこの出光端子から出光した光が前記反射面で反射したときの光を受光する受光端子を設け、この光ファイバーを経由して受光している受光信号が切れたときの信号を電気信号に変換、通信装置を介して前記コントロールセンターに出力する光センサーを設けたこと、
ｄ．を特徴とする防爆型遮断弁における遮断確認装置。
【０００６】
更に、請求項２に記載の発明においては、請求項１に記載の防爆型遮断弁における遮断確認装置において、前記反射板は、前記復帰レバーに対して着脱自在に取り付けられており、前記光センサは、前記反射板を外側から覆い、かつ遮断弁に対して着脱自在に構成されたカバー内に取り付けられていること、を特徴とするものである。
【０００７】
更に、請求項３に記載の発明においては、請求項１又は２に記載の防爆型遮断弁における遮断確認装置において、前記遮断弁は、都市ガスの供給配管網の要所に設置されているガバナー基地の整圧器の入側配管側に取り付けて用いられていること、を特徴とするものである。
【発明の効果】
【０００８】
本発明は以上のとおり、防爆型遮断弁を遠隔操作で遮断したときに、この遮断の確認を光センサにより確認する方式とすることにより、高価な防爆工事等を一切行う必要がない。
また、本発明では、遮断弁の復帰レバーのところに、後付け方式で取り付けることができるため、工事としては、光ファイバー回線の施工と、装置の取り付け手間だけで済み、後付けに際しては、取り付け時間と手間及びコストがかからない。
【実施例】
【０００９】
図１〜図５に基づいて、本発明に係る実施例を詳細に説明する。図１は、全体のイメージを示すもので、符号の１はコントロールセンター、２は都市ガスの配管網の要所に設置されたガバナー基地内の整圧室であって、この整圧室２内には整圧器（ガバナー）３と、遮断弁４が設置されていて、前記コントロールセンター１からの制御信号によりこの遮断弁４は遮断される。
５は整圧室２の外に設置された遠隔監視盤であって、この監視盤５には、遮断弁４の制御回路６と光源７が組み込まれている。
【００１０】
図２は、遮断弁４の外観を示すもので、この遮断弁４は、遮断弁本体８の左右にガス管９がフランジ１０で接続されていて、上部には遠隔操作部１１が取り付けられていると共に、正面には、六角ナット１２を介して遮断弁４内の弁と連動し、復帰時には手動で回転するための復帰レバー１３が露出している。１４は、復帰レバー１３の先端に形成された偏平な摘み部であって、復帰操作は、この摘み部１４を工具で摘み、回転させるもので、本実施例において、前記摘み部１４が水平の時は弁は開いており、垂直の時は閉じている。
【００１１】
図３は、本発明に係る確認装置１５であって、この確認装置１５は、前記摘み部１４に嵌合する嵌合部１７を形成した反射板１６と、六角穴２０を前記ナット１２に被せてネジ１９により固定することができると共に、後部にカバー取付部２１を形成したカバー取付環１８と、前記カバー取付環１８のカバー取付部２１に外嵌する取付口２３を形成し、内部に光センサ２４の出光端子２５と受光端子２６を取り付けたカバー２２から成る。２７は、光センサ２４の取付金具である。
【００１２】
以上に説明した確認装置は、図４（Ａ）に示すように、遮断弁４の正面に露出している復帰レバー１３の摘み部１４に反射板１６を嵌め込むようにして取り付け、この反射板１６を収容するようにして六角ナット１２にカバー取付環１８をネジ１９で固定し、このカバー取付環１８のカバー取付部２１にカバー２２の取付口２３を嵌合してネジ２２ａで固定し、このカバー２２により反射板１６を含めた復帰レバー１３、摘み部１４のすべてを覆う。
図４（Ａ）（Ｂ）は遮断弁４が遮断されたときの状態を示し、光センサ１５の出光端子２５には、光源７から光ファイバー２８を経由して光が送られて来て、この光は、遮断弁４が閉のときは図４（Ｂ）に示すように、反射板１６で反射し、この反射した光は受光端子２６で受光され、光ファイバー２９を経由して監視盤５に送られ、この監視盤５で電気信号に変換されてアンサーバック回線３０（図１参照）を経由してコントロールセンター１に送られる。この結果、遠隔操作により、遮断弁４が正しく閉じたことが判る。
【００１３】
次に、遮断弁４を遠隔操作により閉じようとしても、弁が事故や故障などにより開いたままのときは、図５（Ａ）（Ｂ）に示すように、反射板１６は垂直のままであることから、光センサ２４の出光端子２５から出光した光は、反射板１６に当らず、そのまま直進して、カバー２２の内壁面に当り、吸収される。この結果、光センサ２４からは閉信号が出力されないため、遮断弁４は開いたままであることが判る。
なお、本実施例においてはカバー２２の内壁面には黒色が施されているため、光は反射しない。
また、例えば遮断弁４が閉じていて光センサ２４が作動している間に、水や煙等により光センサ２４を遮る事態が発生すると、光センサ２４からの信号が止まるため、コントロールセンター１では、整圧室２内で異常が発生していることを検知できる。
【００１４】
なお、光センサ２４の出光端子２５と受光端子２６は、反射板１６に対向して取り付けられるが、例えば、図６（Ａ）に示すように、角度をつけても良く、あるいは（Ｂ）に示すように、出光端子２５と受光端子２６を対向させても良く、この出光端子２５と受光端子２６の位置関係は、遮断弁４が閉のとき受光、開のとき非受光の関係が成立すれば、どのような位置関係でも良い。
また、反射板１６の反射面は、平面、凹面、凹凸面、プリズム面に形成することができる。
また、反射板１６の材質としては、次のものを例示することができる。
ステンレス、アルミ、鉄、プラスチック、ガラス、鏡、ナイロンビニール、反射テープ、チタン、プラチナ、金、銀、テフロン(登録商標）コーティング
次に、カバー２２の内壁面であって、光を吸収する面としては、次のものを例示することができる。
フッ化マグネシュウム、硫化亜鉛、氷晶石、酸化シリコン、酸化アルミニウム、つや消しの黒っぽい色の布、紙、グラス、内部壁面の粗仕上げ、内部壁面の塗装
【図面の簡単な説明】
【００１５】
【図１】本発明に係る確認装置を都市ガスの供給配管網の要所に設置されたガバナー基地の整圧室内の遮断弁に適用した実施例の説明図
【図２】遮断弁と復帰レバーの説明図
【図３】確認装置の分解説明図
【図４】遮断弁閉のときの説明であって、（Ａ）は確認装置の平面図、（Ｂ）は正面図
【図５】遮断弁開のときの説明であって、（Ａ）は確認装置の平面図、（Ｂ）は正面図
【図６】光センサと反射板との関係を示すもので、（Ａ）は出光端子と受光端子に角度をつけた内容の説明図、（Ｂ）は対向させた内容の説明図
【符号の説明】
【００１６】
１  コントロールセンター
２  整圧室
４  遮断弁
１３  復帰レバー
１６  反射板
１８  カバー取付環
２２  カバー
２４  光センサ
２５  出光端子
２６  受光端子
２８、２９  光ファイバーケーブル
【図１】
0004922088.tif 000002
【図２】
0004922088.tif 000003
【図３】
0004922088.tif 000004
【図４】
0004922088.tif 000005
【図５】
0004922088.tif 000006
【図６】
0004922088.tif 000007